(57)【要約】【課題】灯具を取り付けることにより、バッテリーを覆う照明器具を提供する。【解決手段】本発明の照明器具は、光源１６と、光源１６を覆い光源１６からの光を透過させる透光部３ａと、を有し、長手方向の両端に取付部材により取付けするための孔が形成された長尺形状の灯具３と、長尺形状の器具フレーム２ａと、器具フレーム２ａの長手方向と灯具３の長手方向とが並行するように取付部材により灯具３が取付けられる取付部２ｂと、を有する器具本体２と、器具フレーム２ａに取り付けられたバッテリー５と、を備え、取付部材は照明器具の照射方向から孔に挿入され、灯具３が取付部２ｂに取り付けられた状態では、バッテリー５は灯具３と器具本体２とで囲まれた空間内に配置される。【選択図】図２
2019033099.tif 000002
【特許請求の範囲】
【請求項１】
光源と、前記光源を覆い前記光源からの光を透過させる透光部と、を有し、長手方向の両端に取付部材により取付けするための孔が形成された長尺形状の灯具と、
長尺形状の器具フレームと、前記器具フレームの長手方向と前記灯具の長手方向とが並行するように前記取付部材により前記灯具が取付けられる取付部と、を有する器具本体と、
前記器具フレームに取り付けられたバッテリーと、を備え、
前記取付部材は、照射方向から前記孔に挿入され、
前記灯具が前記取付部に取り付けられた状態では、前記バッテリーは前記灯具と前記器具本体とで囲まれた空間内に配置される照明器具。
【請求項２】
前記灯具が前記取付部より取り外された状態では、前記バッテリーが視認可能である請求項１に記載の照明器具。
【請求項３】
前記器具本体は天井に取り付けられ、
前記灯具は前記取付部に取り付けられた状態では、前記灯具は前記器具フレームよりも下方に位置する請求項１又は２のいずれか一項に記載の照明器具。
【発明の詳細な説明】
【技術分野】
【０００１】
照明器具に関する。
【背景技術】
【０００２】
安全性の面、また省エネの面から、照明器具を消灯する際一定時間点灯を保持してから消灯する技術が多数ある。一例としては点滅スイッチ、タイマー回路、遅消動作検出回路を用いて複数光源の切替を行うもの（例えば特許文献１参照。）、一つの消灯制御回路より複数光源の調光、遅延消灯をパターン化し制御する方法（例えば特許文献２参照。）、照明器具にコンデンサ、遅延リレーを備え消灯後の継続点灯を行う方法（特許文献３参照）などである。
【先行技術文献】
【特許文献】
【０００３】
【特許文献１】特開平０４−２０６３９０号公報
【特許文献２】実用新案登録第３０９９８７７号公報
【特許文献３】実用新案登録第３１２７２９０号公報
【発明の概要】
【発明が解決しようとする課題】
【０００４】
しかしながら、これらの照明器具は、バッテリーの点検・交換が必要であるため、バッテリーを着脱可能な反射カバーが覆い、更に反射カバーの前面に光源であるランプが取り付けられる構成となっている場合が多かった。
【０００５】
そのため、照明器具のバッテリーを点検・交換するためには、まずランプを取り外した後、更に反射カバーを取り外す必要があった。
【課題を解決するための手段】
【０００６】
本発明の照明器具は、光源と、光源を覆い光源からの光を透過させる透光部と、を有し、長手方向の両端に取付部材により取付けするための孔が形成された長尺形状の灯具と、長尺形状の器具フレームと、器具フレームの長手方向と灯具の長手方向とが並行するように取付部材により灯具が取付けられる取付部と、を有する器具本体と、器具フレームに取り付けられたバッテリーと、を備え、取付部材は照射方向から孔に挿入され、灯具が取付部に取り付けられた状態では、バッテリーは器具本体と灯具とで囲まれた空間内に配置される。
【発明の効果】
【０００７】
本発明の照明器具は、灯具を器具本体に取り付ける構成とすることにより、施工が容易となり、バッテリーが灯具に覆われる。
【０００８】
また、灯具の取り付けと逆の手順で灯具を取り外すことにより、バッテリーの状態を容易に確認することができる。
【図面の簡単な説明】
【０００９】
【図１】実施の形態１に示す照明器具の斜視図。
【図２】実施の形態１に示す照明器具の分解斜視図。
【図３】実施の形態１に示す制御ユニット部の分解斜視図。
【図４】実施の形態１に示す設定ダイヤル部の正面図。
【図５】実施の形態１に示す点灯制御装置のブロック図。
【図６】実施の形態２に示す点灯制御装置のブロック図。
【図７】実施の形態３に示す照明器具の分解斜視図。
【図８】実施の形態３に示す点灯制御装置のブロック図。
【図９】実施の形態４に示す点灯制御装置のブロック図。
【図１０】実施の形態５に示す点灯制御装置のブロック図。
【発明を実施するための形態】
【００１０】
実施の形態１．
図１は実施の形態の照明器具を示す斜視図であり、図２は図１の照明器具の分解斜視図である。
図１、図２において、照明器具１は、天井などの被取付部に取り付けられる器具本体２と、器具本体２に取付けられる点灯装置４、バッテリー５及び、制御ユニット６と、点灯装置４、バッテリー５及び、制御ユニット６を覆うように器具本体２にネジによって取り付けられる灯具３から構成されている。
【００１１】
器具本体２は断面が「コ」の字状に折り曲げられ形成されたフレーム２ａと、このフレーム２ａの長手方向の両端に設けられた取付部２ｂを有する。
【００１２】
灯具３は、後述する光源１６と、透光部３aと、「コ」の字状に折り曲げられ、照射方向に光源１６と透光部３aを取付けする為の開口部が形成され、長手方向両端に器具本体２にネジにより取付けする為の孔が形成されたフレーム３ｂから構成されている。
【００１３】
点灯装置４は、商用電源が供給され、灯具３に電源を供給し、所望の明るさで光源１６を点灯させる。
【００１４】
バッテリー５は、点灯時には制御ユニット６から供給される電力を蓄積し、消灯時には灯具３、制御ユニット６へ電力を供給する。
【００１５】
制御ユニット６は、点灯時には商用電源からの電力をバッテリー５へ供給し、消灯時にはバッテリー５を電源とし、バッテリー5からの電力を、点灯保持時間、所望の明るさとなるように灯具３に供給し、灯具３（光源１６）を所望の明るさで点灯させる。
【００１６】
ここで点灯装置４、バッテリー５、制御ユニット６から構成されている装置を点灯制御装置１３とする。
【００１７】
点灯制御装置１３は、点灯制御装置１３に商用電源から電力が供給されるとき、灯具３を通常点灯させ、商用電源から電力の供給がなくなった後、あらかじめ設定された点灯保持時間の間継続して点灯させ、点灯保持時間経過後に消灯させる装置である。
【００１８】
図３は実施の形態に示す制御ユニットの斜視図である。
図３において、制御ユニット６は器具本体２に垂直する長手側面に点灯保持時間の設定ダイヤル８を備えている。
また灯具３は器具本体２と垂直する長手側面の片側に丸型の開口部９を備えている。
制御ユニット６の設定ダイヤル８と灯具３の開口部９は、灯具３を器具本体２に取付けた際、設定ダイヤル８の中心と開口部９の中心が同軸上になるように配置されている。
【００１９】
図４は表示シール７と、設定ダイヤル８の正面図である。
設定ダイヤル８は、丸形状の調節部１０を備えており、調節部１０は回転されることにより点灯保持時間の調整が行われる。
【００２０】
調節部１０は、工具などを使用し回転動作を行う為の凹形状、もしくは凸形状をした回転補助部１１と、回転に伴い設定ダイヤル８の回転位置を示す印となる設定部１２を有している。本実施の形態では、回転補助部１１はマイナスドライバーを差し込める溝形状であり、設定部１２は丸形状の外方向へ突起した形状である。
【００２１】
回転補助部１１は回転を行える機能、設定部１２に関しては回転位置を示す印という機能を損なわなければ他の形状であってもよい。
【００２２】
図４において、平面状に灯具３の開口部９を囲むように表示シール７が貼られている。表示シール７は、設定部１２の回転にあわせ所望の点灯保持時間を表示する。
表示シール７は、一定の角度毎に点灯保持時間が表示されている。本実施の形態では４５°毎に「０分」「１分」「３分」「１０分」「３０分」の設定時間を示している。
【００２３】
表示シール７は、点灯保持時間を表示する機能が損なわれなければ印字、掘り込みによる表示でもよい。
【００２４】
利用者は調節部１０を回転させ、設定部１２を表示シール７に表示された点灯保持時間を示す位置に合わせることにより、制御ユニット６に指定した点灯保持時間を設定することができる。
【００２５】
（点灯制御装置の構成１）
図５は、図２の照明器具１における点灯制御装置１３を示すブロック図である。
図５において、照明器具１の外部から供給される商用電源と照明器具１の点灯制御装置１３との間に接続／遮断の機能を有しているスイッチ部１５と、スイッチ部１５が接続の時に灯具3を点灯させる点灯装置４と、スイッチ部１５の接続／遮断の切り替えに伴う点灯制御を行う制御ユニット６と、スイッチ部１５が遮断されている時に電源となるバッテリー５と、光源１６から構成されている。この実施の形態では、光源１６にＬＥＤ１６ａを用いる場合について説明するが、有機ＥＬなどであってもよい。
【００２６】
制御ユニット６は経路の切り替えを行うＯＲ回路１７を有している。
【００２７】
点灯制御装置１３はスイッチ部１５から光源１６まで２つの経路にて構成されている。
１つはスイッチ部１５から点灯装置４、制御ユニット６（ＯＲ回路１７）を経由しＬＥＤ１６ａに接続する経路と、他方はスイッチ部１５から制御ユニット６を経由しＬＥＤ１６ａに接続する経路である。あわせて、制御ユニット６にはバッテリー５が接続されている。
【００２８】
スイッチ部１５が接続され商用電源から電力を供給されている状態が通常点灯状態であり、スイッチ部１５が遮断され点灯制御装置により点灯している状態を点灯保持状態である。
【００２９】
なお、ＬＥＤ１６ａは、前述した灯具３に備えられている。
【００３０】
通常点灯状態では、スイッチ部１５が接続状態となり商用電源から供給される電力が、点灯装置４から制御ユニット６内のＯＲ回路１７をとおりＬＥＤ１６ａに供給され、ＬＥＤ１６ａが所望の明るさに点灯される。
【００３１】
あわせて、制御ユニット６は商用電源から供給される電力をバッテリー５に供給を行い、バッテリー５は充電される。
【００３２】
点灯保持状態では、スイッチ部１５が遮断になり、制御ユニット６が商用電源からの電力供給がないことを認識し、制御ユニット６は電源をバッテリー５からの供給に切り替えを行う。
バッテリー５から供給される電力を制御ユニット６内のＯＲ回路１７を経由し、ＬＥＤ１６ａに供給され、ＬＥＤ１６ａを所望の明るさに点灯させる。
【００３３】
点灯保持状態は、設定ダイヤル８の調節部１０によりあらかじめ設定された点灯保持時間の間継続され、点灯保持時間経過後にＬＥＤ１６ａは消灯される。
【００３４】
利用者が通常点灯状態なのか、点灯保持状態なのか認識できるように、点灯保持状態では通常点灯状態より低い照度にて点灯する。
【００３５】
本実施の形態１は、通常の商用電源からの電力供給による光源１６を点灯させるとともに、点灯装置４、バッテリー５及び、制御ユニット６からなる点灯制御装置１３により、商用電源からの電力供給停止後に、点灯保持時間として定めた間、継続して光源１６を点灯させることができる。
【００３６】
本実施の形態１の応用として、点灯保持時間を非常灯に求められる非常時点灯時間と等しくし、床面照度を非常灯に求められる照度以上に設定しておくことで、停電時に非常灯の代用としても使用することができる。
【００３７】
尚、本実施形態１では点灯保持状態での照度が通常点灯状態の照度よりも低くなるように説明をおこなっているが、点灯保持状態での照度が通常点灯状態の照度より高い、もしくは点灯保持状態の照度が通常点灯状態の照度と同じでもよいとする。
【００３８】
実施の形態２．
本実施の形態における照明器具の構造は実施の形態１と同じため説明を省略し、実施の形態１と異なる回路構成と回路構成の動作について詳細に説明する。
【００３９】
（点灯制御装置の構成２）
図６は、本実施の形態において、照明器具１における点灯制御装置１３ａを示すブロック図である。
図６において、器具外部にて商用電源と照明器具１の点灯制御装置１３ａの間に接続／遮断の機能を有しているスイッチ部１５と、灯具３を点灯させる点灯装置４ａと、スイッチ部１５の接続／遮断の切り替えに伴う点灯制御を行なう制御ユニット６ａと、スイッチ部１５が遮断されている時に電源となるバッテリー５と、光源１６から構成されている。この実施の形態では、光源１６にＬＥＤ１６ａを用いる場合について説明するが、有機ＥＬなどであってもよい。
【００４０】
点灯制御装置１３ａはスイッチ部１５からＬＥＤ１６ａまで２つの経路にて構成されている。
１つ目はスイッチ部１５から点灯装置４ａを経由しＬＥＤ１６ａに接続する経路と、もう１つ目はスイッチ部１５から制御ユニット６ａ、点灯装置４ａを経由しＬＥＤ１６ａへ接続する経路である。あわせて、制御ユニット６ａにはバッテリー５が接続されている。
【００４１】
スイッチ部１５が接続され商用電源から電力を供給されている状態が通常点灯状態であり、スイッチ部１５が遮断され点灯制御装置により点灯している状態を点灯保持状態である。
【００４２】
なお、ＬＥＤ１６ａは、前述した灯具３に備えられている。
【００４３】
通常点灯状態では、スイッチ部１５が接続状態となり商用電源から供給される電力が、点灯装置４ａからＬＥＤ１６ａに供給され、ＬＥＤ１６ａが所望の明るさに点灯される。
【００４４】
あわせて、制御ユニット６ａは商用電源から供給される電力をバッテリー５に供給を行い、バッテリー５は充電される。
【００４５】
点灯保持状態では、スイッチ部１５が遮断になり、制御ユニット６ａが商用電源からの電力供給がないことを認識し、制御ユニット６ａは電源をバッテリー５からの供給に切り替えを行う。
バッテリー５から供給される電力は制御ユニット６ａ、点灯装置４ａを経由しＬＥＤ１６ａへ供給される。あわせて制御ユニット６ａから点灯制御信号を点灯装置４ａに送り、点灯装置４ａはＬＥＤ１６ａを所望の明るさに点灯させる。
【００４６】
点灯保持状態は、設定ダイヤル８の調節部１０によりあらかじめ設定された点灯保持時間の間継続され、点灯保持時間経過後に、制御ユニット６ａから消灯を示す点灯制御信号を点灯装置４ａに送り、ＬＥＤ１６ａは消灯される。
【００４７】
利用者が通常点灯状態なのか、点灯保持状態なのか認識できるように、点灯保持状態では通常点灯状態より低い照度にて点灯する。
【００４８】
本実施の形態２は、通常の商用電源からの電力供給による光源１６を点灯させるとともに、点灯装置４ａ、バッテリー５及び、制御ユニット６ａからなる点灯制御装置１３ａにより、商用電源からの電力供給停止後に、点灯保持時間として定めた間、継続して光源１６を点灯させることを特徴とする。
【００４９】
本実施の形態２の変形例として、点灯保持時間を非常灯に求められる非常時点灯時間と等しくし、床面照度を非常灯に求められる照度以上に設定しておくことで、停電時に非常灯の代用としても使用することができる。
【００５０】
尚、本実施の形態２は点灯保持状態での照度が通常点灯状態の照度よりも低くなるように説明をおこなっているが、点灯保持状態での照度が通常点灯状態の照度より高い、もしくは点灯保持状態の照度が通常点灯状態の照度と同じでもよいとする。
【００５１】
実施の形態３．
図７は、実施の形態３に示す照明器具の分解斜視図である。
図７において、本実施の形態における照明器具の構造は、実施の形態１と比較し、バッテリー５を備えていない、それに伴い点灯制御装置１４は点灯装置４ｂと制御ユニット６ｂから構成されている。
それ以外は実施の形態１と同じため説明を省略し、実施の形態１と異なる回路構成と回路構成の動作について詳細に説明する。
【００５２】
（点灯制御装置の構成３）
図８は、本実施の形態において、照明器具１における点灯制御装置１４を示すブロック図である。
図８において、器具外部にて灯具のＯＮ／ＯＦＦを指示するスイッチ１８（スイッチ部１５に相当する）と、灯具３を点灯させる点灯装置４ｂと、スイッチ１８のＯＮ／ＯＦＦの切り替えに伴う点灯制御を行なう制御ユニット６ｂと、光源１６から構成されている。この実施の形態では、光源１６にＬＥＤ１６ａを用いる場合について説明するが、有機ＥＬなどであってもよい。
【００５３】
点灯制御装置１４は、商用電源からＬＥＤ１６ａまで１つの経路にて構成されている。
この経路は商用電源から点灯装置４ｂを経由しＬＥＤ１６ａに接続する経路である。制御ユニット６ｂは商用電源から電力供給を受けて動作し、制御ユニット６ｂは接続されているスイッチ１８のＯＮ／ＯＦＦ状態を検知して、その状態に応じて点灯制御信号を点灯装置４ｂに送り、ＬＥＤ１６ａの点灯状態を制御する。
【００５４】
スイッチ１８がＯＮ状態に応じた点灯制御信号による点灯状態が通常点灯状態であり、スイッチ１８がＯＦＦ状態に応じた点灯制御信号による点灯状態が点灯保持状態である。
【００５５】
なお、ＬＥＤ１６ａは、前述した灯具３に備えられている。
【００５６】
通常点灯状態、点灯保持状態ともに商用電源から電力を供給されている。
【００５７】
通常点灯状態は、スイッチ１８がＯＮ状態になったことを制御ユニット６ｂが検知し、制御ユニット６ｂはＯＮ状態に応じた点灯制御信号を点灯装置４ｂに送り、点灯装置４ｂはＬＥＤ１６ａを所望の明るさで点灯させる。
【００５８】
点灯保持状態は、スイッチ１８がＯＦＦ状態になったことを制御ユニット６ｂが検知し、制御ユニット６ｂはＯＦＦ状態に応じた点灯制御信号を点灯装置４ｂに送り、点灯装置４ｂはＬＥＤ１６ａを所望の明るさで点灯させる。
【００５９】
点灯保持状態は、設定ダイヤル８の調節部１０によりあらかじめ設定された点灯保持時間の間継続され、点灯保持時間経過後にＬＥＤ１６ａが消灯される。
【００６０】
利用者が通常点灯状態なのか、点灯保持状態なのか認識できるように、点灯保持状態では通常点灯状態より低い照度にて点灯する。
【００６１】
本実施の形態３は、点灯装置４ｂ、制御ユニット６ｂからなる点灯制御装置１4により、スイッチ１８によるＯＮ／ＯＦＦ状態に応じて、通常点灯させるとともに、消灯後点灯保持時間として定めた間、継続して光源１６を点灯させることを特徴とする。
【００６２】
尚、本実施の形態３は点灯保持状態での照度が通常点灯状態の照度よりも低くなるように説明をおこなっているが、点灯保持状態での照度が通常点灯状態の照度より高い、もしくは点灯保持状態の照度が通常点灯状態の照度と同じでもよいとする。
【００６３】
実施の形態４．
本実施の形態における照明器具１の構造は実施の形態１と同じため説明を省略し、実施の形態１と異なる回路構成と回路構成の動作について詳細に説明する。
【００６４】
（点灯制御装置の構成４）
図９は、本実施の形態において、照明器具１における点灯制御装置１３ｂを示すブロック図である。
図９において、器具外部にて商用電源と照明器具１の点灯制御装置１３ｂの間に接続／遮断の機能を有しているスイッチ部１５と、灯具３を点灯させる点灯装置４ｂと、スイッチ部１５の接続／遮断の切替に伴う点灯制御を行なう制御ユニット６ｃと、スイッチ部１５が遮断されている時に電源となるバッテリー５と、光源１６から構成される。この実施の形態では、光源１６にＬＥＤ１６ａを用いる場合について説明するが、有機ＥＬなどであってもよい。
【００６５】
点灯制御装置１３ｂはスイッチ部１５より制御ユニット６ｃ、点灯装置４ｂを経由しＬＥＤ１６ａに接続する経路からなる。制御ユニット６ｃにはバッテリー５が接続されている。
【００６６】
スイッチ部１５が接続され商用電源から電力を供給されている状態が通常点灯状態であり、スイッチ部１５が遮断され点灯制御装置１３ｂにより点灯している状態を点灯保持状態である。
【００６７】
なお、ＬＥＤ１６ａは、前述した灯具３に備えられている。
【００６８】
通常点灯状態では、スイッチ部１５が接続状態となり商用電源から供給される電力が、制御ユニット６ｃ、点灯装置４ｂに供給され、制御ユニット６ｃが点灯装置４ｂに通常点灯状態を示す点灯制御信号を点灯装置４ｂに送ることにより、電力が点灯装置４ｂからＬＥＤ１６ａに供給され、ＬＥＤ１６ａが所望の明るさに点灯される。
【００６９】
あわせて、制御ユニット６ｃは商用電源から供給される電力をバッテリー５に供給し、バッテリー５は充電される。
【００７０】
点灯保持状態では、スイッチ部１５が遮断になり、制御ユニット６ｃが商用電源からの電力供給がないことを認識し、制御ユニット６ｃは電源をバッテリー５からの供給に切り替えを行なう。
バッテリー５から供給される電力は制御ユニット６ｃ、点灯装置４ｂをへてＬＥＤ１６ａへ供給される。あわせて制御ユニット６ｃから、点灯保持状態における点灯制御信号を点灯装置４ｂに送り、点灯装置４ｂはＬＥＤ１６ａを所望の明るさに点灯させる。
【００７１】
点灯保持状態は、設定ダイヤル８の調節部１０によりあらかじめ設定された点灯保持時間の間継続され、点灯保持時間経過後にＬＥＤ１６ａは消灯される。
【００７２】
利用者が通常点灯状態なのか、点灯保持状態なのか認識できるように、点灯保持状態では通常点灯状態より低い照度にて点灯する。
【００７３】
本実施の形態４は、通常の商用電源からの電力供給による光源１６を点灯させるとともに、点灯装置４ｂ、バッテリー５、制御ユニット６ｃからなる点灯制御装置１３ｂにより、商用電源からの電力供給停止後に、点灯保持時間として定めた間、継続して光源１６を点灯させることを特徴とする。
【００７４】
本実施の形態４の変形例として、点灯保持時間を非常灯に求められる非常時点灯時間と等しくし、床面照度を非常灯に求められる照度以上に設定しておくことで、停電時に非常灯の代用としても使用することができる。
【００７５】
尚、本実施の形態４は点灯保持状態での照度が通常点灯状態の照度よりも低くなるように説明をおこなっているが、点灯保持状態での照度が通常点灯状態の照度より高い、もしくは点灯保持状態の照度が通常点灯状態の照度と同じでもよいとする。
【００７６】
実施の形態５．
本実施の形態における照明器具の構造は実施の形態１と同じため説明を省略し、実施の形態１と異なる回路構成と回路構成の動作について詳細に説明する。
【００７７】
（点灯制御装置の構成５）
図１０は、実施の形態における、照明器具１における点灯制御装置１３ｃを示すブロック図である。
図１０において、器具外部にて商用電源と照明器具１の点灯制御装置１３ｃの間に接続／遮断の機能を有しているスイッチ部１５と、灯具３を点灯させる点灯装置４ｃと、スイッチ部１５の接続／遮断の切り替えに伴う点灯制御を行なう制御ユニット６ｄと、スイッチ部１５が遮断されている時に電源となるバッテリー５と、回路の切り替えを行なうリレー１９と、蛍光灯２０から構成される。
【００７８】
点灯制御装置１３ｃはスイッチ部１５から蛍光灯２０まで２つの経路にて構成されている。１つ目はスイッチ部１５から点灯装置４ｃ、リレー１９を経由し蛍光灯２０に接続する経路と、他方はスイッチ部１５から制御ユニット６ｄ、リレー１９を経由し蛍光灯２０に接続する経路がある。あわせて、制御ユニット６ｄにはバッテリー５が接続されている。
【００７９】
スイッチ部１５が接続され商用電源から電力を供給されている状態が通常点灯状態であり、スイッチ部１５が遮断され点灯制御装置１３ｃにより点灯している状態を点灯保持状態である。
【００８０】
なお切替リレー１９と蛍光灯２０は、前述した灯具３に備えられている。
【００８１】
通常点灯状態では、スイッチ部１５が接続状態となり商用電源から供給される電力が、点灯装置４ｃからリレー１９をとおり蛍光灯２０に供給され、蛍光灯２０が所望の明るさに点灯される。
【００８２】
あわせて、制御ユニット６ｄは商用電源から供給される電力をバッテリー５に供給し、バッテリー５は充電される。
【００８３】
点灯保持状態では、スイッチ部１５が遮断になり、制御ユニット６ｄが商用電源からの電力供給がないことを認識し、制御ユニット６ｄは電源をバッテリー５からの供給に切り替えを行なう。
バッテリー５から供給される電力を制御ユニット６ｄからリレー１９を通り、蛍光灯２０に供給され、蛍光灯２０を所望の明るさに点灯させる。
【００８４】
点灯保持状態は、設定ダイヤル８の調節部１０によりあらかじめ設定された点灯保持時間の間継続され、点灯保持時間経過後に蛍光灯２０は消灯される。
【００８５】
利用者が通常点灯状態なのか、点灯保持状態なのか認識できるように、点灯保持状態では通常点灯状態より低い照度にて点灯する。
【００８６】
本実施の形態５は、通常の商用電源からの電力供給による光源２０を点灯させるとともに、点灯装置４ｃ、バッテリー５及び、制御ユニット６ｄからなる点灯制御装置１３ｃにより、商用電源からの電力供給停止後に、点灯保持時間として定めた間、継続して光源１６を点灯させることを特徴とする。
【００８７】
本実施の形態５の変形例として、点灯保持時間を非常灯に求められる非常時点灯時間と等しくし、床面照度を非常灯に求められる照度以上に設定しておくことで、停電時に非常灯の代用としても使用することができる。
【００８８】
尚、本実施の形態５は点灯保持状態での照度が通常点灯状態の照度よりも低くなるように説明をおこなっているが、点灯保持状態での照度が通常点灯状態の照度より高い、もしくは点灯保持状態の照度が通常点灯状態の照度と同じでもよいとする。
【符号の説明】
【００８９】
１  照明器具、２  器具本体、２ａ  フレーム、２ｂ  取付部、３  灯具、３ａ  透光部、３ｂ  フレーム、４、４ａ、４ｂ、４ｃ  点灯装置、５  バッテリー、６、６ａ、６ｂ、６ｃ、６ｄ  制御ユニット、７  表示シール、８  設定ダイヤル、９  開口部、１０  調節部、１１  回転補助部、１２  設定部、１３、１３ａ、１３ｂ、１３ｃ、１４  点灯制御装置、１５  スイッチ部、１６  光源、１６ａ  ＬＥＤ、１７  ＯＲ回路、１８  スイッチ、１９  リレー、２０  蛍光灯。
【図１】
2019033099.tif 000003
【図２】
2019033099.tif 000004
【図３】
2019033099.tif 000005
【図４】
2019033099.tif 000006
【図５】
2019033099.tif 000007
【図６】
2019033099.tif 000008
【図７】
2019033099.tif 000009
【図８】
2019033099.tif 000010
【図９】
2019033099.tif 000011
【図１０】
2019033099.tif 000012